(57)【要約】【課題】放射性物質または放射性物質を収納した容器の保管容器の内部で、放射性物質または放射性物質を収納した容器と保管容器とが衝突することを抑制できる、放射性物質または放射性物質を収納した容器の保管容器と保管方法を提供する。【解決手段】本発明による放射性物質または放射性物質を収納した容器の保管容器は、上部に開口部を有し、複数の放射性物質１または放射性物質を収納した複数の容器１を上下方向に積んで収納可能な筒状部２２と、上下方向に積まれた放射性物質１または容器１の間に設置される緩衝部材９と、開口部に設置される蓋１１と、最上部の放射性物質１または容器１と蓋１１との間に設置される弾性部材１０とを備える。緩衝部材９は、平板部材１２と、平板部材１２に設置され、平板部材１２から水平方向に突出する緩衝部１５とを備える。【選択図】図２
2020016561.tif 000002
【特許請求の範囲】
【請求項１】
上部に開口部を有し、複数の放射性物質または放射性物質を収納した複数の容器を上下方向に積んで収納可能な筒状部と、
上下方向に積まれた前記放射性物質または前記容器の間に設置される緩衝部材と、
前記開口部に設置される蓋と、
最上部の前記放射性物質または前記容器と前記蓋との間に設置される弾性部材と、
を備え、
前記緩衝部材は、
平板部材と、
前記平板部材に設置され、前記平板部材から水平方向に突出する緩衝部と、
を備える、
ことを特徴とする放射性物質または放射性物質を収納した容器の保管容器。
【請求項２】
前記緩衝部材は、
前記平板部材の下面に立設する円環状の下部環状部材と、
前記下部環状部材の内周面に設置され、前記放射性物質または前記容器と接触可能な内側板バネと、
を備える、
請求項１に記載の放射性物質または放射性物質を収納した容器の保管容器。
【請求項３】
前記緩衝部材は、
前記平板部材の上面に立設する円環状の上部環状部材と、
前記上部環状部材の内周面に設置され、前記放射性物質または前記容器と接触可能な内側板バネと、
前記緩衝部として、前記平板部材の外周部に設置され、前記筒状部の内周面と接触可能な板バネと、
を備える、
請求項２に記載の放射性物質または放射性物質を収納した容器の保管容器。
【請求項４】
前記緩衝部材は、前記緩衝部として、前記平板部材に設置された可動板バネを備え、
前記可動板バネは、
前記平板部材の上方に位置する平面部と、
前記平板部材の側方に位置する板バネ部と、
を備え、
前記平面部に前記放射性物質または前記容器が載置されると、前記板バネ部が上方に回動して前記筒状部の内周面と接触可能であるように構成されている、
請求項２に記載の放射性物質または放射性物質を収納した容器の保管容器。
【請求項５】
放射性物質または放射性物質を収納した容器を保管容器に収納する第１工程と、
緩衝部材を、前記保管容器に収納した前記放射性物質または前記容器に載置する第２工程と、
前記保管容器に収納した前記放射性物質または前記容器に積み重ねるべき放射性物質または放射性物質を収納した容器を、前記保管容器内の前記緩衝部材に載置して、前記保管容器に収納する第３工程と、
前記保管容器の最上部に位置すべき放射性物質または放射性物質を収納した容器を前記保管容器に収納した後、弾性部材を、最上部に位置する前記放射性物質または前記容器に載置する第４工程と、
を有し、
前記緩衝部材が、平板部材と、前記平板部材に設置され、前記平板部材から水平方向に突出し、前記保管容器の内周面と接触可能な緩衝部とを備える、
ことを特徴とする放射性物質または放射性物質を収納した容器の保管方法。
【請求項６】
前記緩衝部が、前記平板部材の外周部に設置された板バネであり、
前記第２工程では、前記板バネが、前記保管容器の内周面と接触する、
請求項５に記載の放射性物質または放射性物質を収納した容器の保管方法。
【請求項７】
前記緩衝部が、前記平板部材の上方に位置する平面部と、前記平板部材の側方に位置する板バネ部とを備える可動板バネであり、
前記第２工程では、前記板バネ部が、前記保管容器の内周面と接触せず、
前記第３工程では、前記保管容器に収納した前記放射性物質または前記容器に積み重ねるべき放射性物質または放射性物質を収納した容器を、前記可動板バネの前記平面部に載置すると、前記可動板バネは、前記板バネ部が上方に回動して前記保管容器の内周面と接触する、
請求項５に記載の放射性物質または放射性物質を収納した容器の保管方法。
【発明の詳細な説明】
【技術分野】
【０００１】
本発明は、放射性物質または放射性物質を収納した容器の保管容器と保管方法に関する。
【背景技術】
【０００２】
原子力発電所などの原子力施設で発生した放射性廃棄物などの放射性物質または放射性物質を収納した容器は、保管容器に収納されて保管される。
【０００３】
特許文献１には、放射性物質を収納した容器（ガラス固化体）を保管する設備であり、耐震サポートを備えて耐震性が考慮されたガラス固化体貯蔵設備の例が記載されている。特許文献１に記載のガラス固化体貯蔵設備は、貯蔵ピットの上部の天井スラブに上端が固定されて吊り下げ支持されたガラス固化体収納用の内管の外周が外管で覆われ、内管と外管の間に冷却空気を流すよう構成されたガラス固化体貯蔵設備であって、外管垂直方向支持板と上部及び下部耐震サポートが、長さ調整可能な耐震ラグにより狭隘部となる井桁状の支持架構に取り付けられている。
【先行技術文献】
【特許文献】
【０００４】
【特許文献１】特開２００９−８００５６号公報
【発明の概要】
【発明が解決しようとする課題】
【０００５】
特許文献１に記載されたガラス固化体貯蔵設備など、従来の放射性物質または放射性物質を収納した容器の保管設備では、放射性物質または放射性物質を収納した容器の保管容器の外部に耐震装置を備えている。保管容器の内部には、保管容器に収納された放射性物質または放射性物質を収納した容器と保管容器との間に隙間があり、地震などの振動により放射性物質または放射性物質を収納した容器と保管容器とが水平方向と鉛直方向（上下方向）に衝突することが考えられる。従来の技術では、保管容器の内部で、放射性物質または放射性物質を収納した容器と保管容器とが衝突することについて十分に考慮されていない。この衝突により放射性物質または放射性物質を収納した容器と保管容器に加わる衝撃を小さくするためには、例えば、放射性物質または放射性物質を収納した容器と保管容器の隙間を小さくする方法がある。しかし、この隙間を小さくするには高精度な寸法を持つ保管容器が必要であり、このような保管容器の製造は、難しく高コストである。さらに、この隙間が小さい保管容器に放射性物質または放射性物質を収納した容器を収納するのは難しい。このため、放射性物質または放射性物質を収納した容器と保管容器の隙間を小さくして、保管容器の内部での放射性物質または放射性物質を収納した容器と保管容器との衝突を抑制して、放射性物質または放射性物質を収納した容器と保管容器に衝撃が加わるのを防ぐのは、実用的ではない。
【０００６】
このように、従来の技術では、放射性物質または放射性物質を収納した容器の保管容器の内部での、放射性物質または放射性物質を収納した容器の振動（特に水平方向の振動）について十分に考慮されておらず、保管容器の内部で、放射性物質または放射性物質を収納した容器と保管容器とが衝突することを抑制するのが難しいことに課題がある。
【０００７】
本発明の目的は、放射性物質または放射性物質を収納した容器の保管容器の内部で、放射性物質または放射性物質を収納した容器と保管容器とが衝突することを抑制できる、放射性物質または放射性物質を収納した容器の保管容器と保管方法を提供することである。
【課題を解決するための手段】
【０００８】
本発明による放射性物質または放射性物質を収納した容器の保管容器は、上部に開口部を有し、複数の放射性物質または放射性物質を収納した複数の容器を上下方向に積んで収納可能な筒状部と、上下方向に積まれた前記放射性物質または前記容器の間に設置される緩衝部材と、前記開口部に設置される蓋と、最上部の前記放射性物質または前記容器と前記蓋との間に設置される弾性部材とを備える。前記緩衝部材は、平板部材と、前記平板部材に設置され、前記平板部材から水平方向に突出する緩衝部とを備える。
【発明の効果】
【０００９】
本発明によると、放射性物質または放射性物質を収納した容器の保管容器の内部で、放射性物質または放射性物質を収納した容器と保管容器とが衝突することを抑制できる、放射性物質または放射性物質を収納した容器の保管容器と保管方法を提供することができる。
【図面の簡単な説明】
【００１０】
【図１】放射性物質または放射性物質を収納した容器を保管する保管施設の一例の概要を示す図。
【図２】本発明の実施例１による放射性物質または放射性物質を収納した容器の保管容器の縦断面図。
【図３】本発明の実施例１による放射性物質または放射性物質を収納した容器の保管容器の緩衝部材の縦断面図。
【図４】本発明の実施例１による放射性物質または放射性物質を収納した容器の保管容器の緩衝部材の上面図。
【図５】本発明の実施例２による放射性物質または放射性物質を収納した容器の保管容器の縦断面図。
【図６】本発明の実施例２による放射性物質または放射性物質を収納した容器の保管容器の緩衝部材の縦断面図。
【図７】本発明の実施例２による放射性物質または放射性物質を収納した容器の保管容器において、放射性物質または放射性物質を収納した容器が緩衝部材の上面部に載置された状態の緩衝部材の縦断面図。
【図８】本発明の実施例２による放射性物質または放射性物質を収納した容器の保管容器の緩衝部材の上面図。
【発明を実施するための形態】
【００１１】
原子力発電所で発生した使用済燃料などの放射性物質またはこの放射性物質を収納した容器は、保管容器に収納されて保管される。本発明による保管容器は、放射性物質を直接収納して保管することも、放射性物質を収納した容器を保管することもできる。すなわち、本発明による保管容器は、放射性物質と放射性物質を収納した容器との一方または両方を保管することができる。
【００１２】
本発明による放射性物質または放射性物質を収納した容器の保管容器は、上下方向に積み重ねられて収納された放射性物質または放射性物質を収納した容器の間に緩衝部材が設置され、最上部の放射性物質または放射性物質を収納した容器と蓋との間に弾性部材が設置される。緩衝部材は、水平方向に突出して保管容器の内周面と接触可能な緩衝部を備え、放射性物質または放射性物質を収納した容器と保管容器（保管容器の内周面）との衝突を抑制する。本発明による放射性物質または放射性物質を収納した容器の保管方法では、保管容器内で放射性物質または放射性物質を収納した容器と緩衝部材とを上下方向に交互に配置し、弾性部材を最上部に位置する放射性物質または放射性物質を収納した容器の上に載置する。
【００１３】
本発明による放射性物質または放射性物質を収納した容器の保管容器では、緩衝部材と弾性部材により、保管容器の内部で、放射性物質または放射性物質を収納した容器と保管容器とが衝突することを抑制する。
【００１４】
以下、本発明の実施例による放射性物質または放射性物質を収納した容器の保管容器と保管方法について、図面を用いて説明する。
【実施例１】
【００１５】
本発明の実施例１による放射性物質または放射性物質を収納した容器の保管容器と保管方法を、図１〜図４を用いて説明する。
【００１６】
図１は、放射性物質または放射性物質を収納した容器を保管する保管施設の一例の概要を示す図である。保管施設３は、放射線を遮蔽するコンクリートなどの遮蔽部材で構成された建屋からなり、放射性物質１または放射性物質を収納した容器１を収納した保管容器２を保管する。保管施設３は、放射性物質１または放射性物質を収納した容器１の取扱いに必要な遮蔽厚さと耐震機能を備える。保管施設３は、保管容器２に放射性物質１または放射性物質を収納した容器１を収納し、保管容器２の蓋１１を閉める作業を実施する仕立てエリア７と、複数の保管容器２を保管する保管エリア４を備える。保管容器２は、放射性物質１または放射性物質を収納した容器１を保管し、保管施設３内の自然対流による空気の流れで冷却される。
【００１７】
原子力発電所で発生した使用済燃料などの放射性物質１または放射性物質を収納した容器１は、移送容器６に収納される。放射性物質１または放射性物質を収納した容器１を収納した移送容器６は、移送車やクレーン５などにより、保管施設３の仕立てエリア７に搬入される。仕立てエリア７では、クレーン５などの搬送設備が、移送容器６から放射性物質１または放射性物質を収納した容器１を取り出し、保管容器２に放射性物質１または放射性物質を収納した容器１を収納し、保管容器２に蓋１１を装着する。保管容器２は、受入れ検査を受けた後に保管エリア４に搬入され、保管エリア４の床に固定されている架台８に設置される。
【００１８】
保管容器２の内部では、より多くの放射性物質１または放射性物質を収納した容器１を保管するために、複数の放射性物質１または放射性物質を収納した複数の容器１が上下方向に積まれて収納される。保管容器２の内部で複数の放射性物質１または放射性物質を収納した複数の容器１が上下方向に積まれて収納されていると、放射性物質１または放射性物質を収納した容器１が上下方向に積まれて収納されていない場合と比較して、地震や保管容器２の転倒等によって保管容器２に加わる衝撃が大きい。保管容器２に衝撃が加わると、保管容器２の内部で、放射性物質１または放射性物質を収納した容器１と保管容器２とが衝突し、上下方向に積まれた放射性物質１または放射性物質を収納した容器１同士も衝突する。この衝突による放射性物質１または放射性物質を収納した容器１と保管容器２の破損を防ぐために、放射性物質１または放射性物質を収納した容器１と保管容器２が衝突することを抑制できる保管方法が必要である。
【００１９】
図２は、本発明の実施例１による放射性物質１または放射性物質を収納した容器１の保管容器２の縦断面図である。保管容器２は、筒状部２２と、蓋１１と、緩衝部材９と、弾性部材１０を備える。筒状部２２は、上部に開口部を有し、下部に底面を有し、複数の放射性物質１または放射性物質を収納した複数の容器１を上下方向に積み重ねて収納可能である。蓋１１は、筒状部２２の開口部に設置される。保管容器２は、１つまたは複数の緩衝部材９を備えることができる。
【００２０】
緩衝部材９は、上下方向に積まれた放射性物質１または放射性物質を収納した容器１同士の間に位置するように筒状部２２の内部に設置され、水平方向の振動が加わったときに、放射性物質１または放射性物質を収納した容器１と保管容器２との衝突を抑制する。弾性部材１０は、最上部の放射性物質１または放射性物質を収納した容器１に載置されて、最上部の放射性物質１または放射性物質を収納した容器１と蓋１１との間に設置され、上下方向の振動が加わったときに、放射性物質１または放射性物質を収納した容器１と蓋１１との衝突を抑制する。緩衝部材９と弾性部材１０は、上下方向に積まれた放射性物質１または放射性物質を収納した容器１同士の衝突も抑制する。なお、弾性部材１０は、最上部の放射性物質１または放射性物質を収納した容器１と蓋１１に固定されても固定されなくてもよい。
【００２１】
緩衝部材９は、後述するように、平板部材１２、上部環状部材１３、下部環状部材１４、及び外側板バネ１５を備える。筒状部２２は、円筒形でも角筒形でもよい。以下では、筒状部２２が円筒形であるとする。
【００２２】
図３は、緩衝部材９の縦断面図である。図４は、緩衝部材９の上面図である。緩衝部材９は、平板部材１２、上部環状部材１３、下部環状部材１４、外側板バネ１５、内側板バネ１６、及び吊り部１７を備える。
【００２３】
平板部材１２は、円形の平板である。筒状部２２が角筒形であれば、平板部材１２は、多角形の平板である。緩衝部材９は、平板部材１２が筒状部２２の底面に沿う向きで、筒状部２２の内部に設置される。
【００２４】
上部環状部材１３は、平板部材１２の上面に立設する円環状の部材である。下部環状部材１４は、平板部材１２の下面に立設する円環状の部材である。上部環状部材１３と下部環状部材１４は、保管容器２に収納された放射性物質１または放射性物質を収納した容器１の周囲を囲むことができる内径を持つ。すなわち、放射性物質１または放射性物質を収納した容器１は、上部環状部材１３と下部環状部材１４の少なくとも一方に嵌って保管容器２に収納される（図２と後述する図５を参照）。
【００２５】
外側板バネ１５は、平板部材１２の外周部に、周方向に９０°ごとに４個設置されている緩衝部である。外側板バネ１５は、平板部材１２から水平方向に突出し、保管容器２の内周面（筒状部２２の内周面）と接触可能な板バネである。内側板バネ１６は、上部環状部材１３の内周面に、周方向に９０°ごとに４個設置されているとともに、下部環状部材１４の内周面に、周方向に９０°ごとに４個設置されている。内側板バネ１６は、放射性物質１または放射性物質を収納した容器１と接触可能な板バネである。
【００２６】
吊り部１７は、上部環状部材１３の上端部に、周方向に９０°ごとに４個設置されている。吊り部１７は、緩衝部材９の全体を移動させるために、搬送設備（例えば、クレーン５のフック等）に吊り下げられる部材である。
【００２７】
外側板バネ１５、内側板バネ１６、及び吊り部１７の数は、４個でなくてもよく、耐衝撃強度と構造強度を満足する数であれば、任意に定めることができる。これらの数は、互いに異なってもよい。外側板バネ１５と吊り部１７の数は、保管容器２の筒状部２２に緩衝部材９を収納するときの作業性を考慮して、それぞれ２個以上とするのが好ましい。内側板バネ１６の数は、緩衝部材９に放射性物質１または放射性物質を収納した容器１を取り付ける（上部環状部材１３と下部環状部材１４に放射性物質１または放射性物質を収納した容器１を嵌める）ときの作業性を考慮して、２個以上とするのが好ましい。
【００２８】
なお、外側板バネ１５と内側板バネ１６の周方向の位置は、図３と図４に示した例では互いに同じであるが、互いに異なってもよい。これらの周方向の位置は、任意に定めることができる。吊り部１７の周方向の位置も、任意に定めることができる。
【００２９】
外側板バネ１５と内側板バネ１６を緩衝部材９に用いるのは、筒状部２２に緩衝部材９を収納するときの作業性と、筒状部２２に放射性物質１または放射性物質を収納した容器１を収納するときの作業性を考慮したためである。緩衝部材９は、外側板バネ１５と内側板バネ１６に用いる板バネの代わりに、コイルバネや弾性体などの緩衝機能を有する部材を備えることができる。
【００３０】
緩衝部材９は、耐熱性と耐腐食性を有する材料（例えば、ステンレス鋼）で構成することができる。弾性部材１０は、金属や樹脂の弾性体で構成することができ、例えばバネで構成することができる。
【００３１】
保管容器２は、保管容器２の内部に上下方向に積まれて収納された放射性物質１または放射性物質を収納した容器１同士の間に緩衝部材９を備え、放射性物質１または放射性物質を収納した容器１と保管容器２との水平方向の隙間には、緩衝部材９の外側板バネ１５が存在する。外側板バネ１５は、保管容器２に衝撃が加わったときに、保管容器２の内部で放射性物質１または放射性物質を収納した容器１と保管容器２とが水平方向に衝突するのを抑制する。
【００３２】
緩衝部材９は、放射性物質１または放射性物質を収納した容器１同士の間に設置されて放射性物質１または放射性物質を収納した容器１同士を連結し、弾性部材１０は、最上部の放射性物質１または放射性物質を収納した容器１と蓋１１との間に設置される。この構成により、保管容器２に衝撃が加わったときに、保管容器２の内部で放射性物質１または放射性物質を収納した容器１同士が上下方向に衝突するのと、放射性物質１または放射性物質を収納した容器１と蓋１１とが上下方向に衝突するのを抑制する。
【００３３】
このように、本実施例による放射性物質１または放射性物質を収納した容器１の保管容器２は、保管容器２に水平方向と上下方向の振動が加わっても、保管容器２の内部での放射性物質１または放射性物質を収納した容器１と保管容器２との衝突、放射性物質１または放射性物質を収納した容器１同士の衝突、及び放射性物質１または放射性物質を収納した容器１と蓋１１との衝突を抑制する。
【００３４】
また、本実施例による放射性物質１または放射性物質を収納した容器１の保管容器２は、放射性物質１または放射性物質を収納した容器１と保管容器２との水平方向の隙間に外側板バネ１５が存在するので、放射性物質１または放射性物質を収納した容器１と保管容器２との隙間が小さくなくてもよく、高精度な寸法で製造する必要がないので、低コストで容易に製造できる。さらに、放射性物質１または放射性物質を収納した容器１と保管容器２との隙間が小さい必要がないので、保管容器２に放射性物質１または放射性物質を収納した容器１を収納するのが容易である。
【００３５】
内側板バネ１６は、放射性物質１または放射性物質を収納した容器１と緩衝部材９との水平方向の隙間に位置し、保管容器２に衝撃が加わったときに、放射性物質１または放射性物質を収納した容器１と緩衝部材９とが水平方向に衝突するのを抑制する。
【００３６】
以下では、本実施例による保管容器２に放射性物質１または放射性物質を収納した容器１を保管する方法の例を説明する。保管容器２に放射性物質１または放射性物質を収納した容器１を保管する方法は、仕立てエリア７（図１）で実行される。放射性物質１または放射性物質を収納した容器１、緩衝部材９、及び弾性部材１０は、筒状部２２の開口部から保管容器２の内部に収納される。
【００３７】
第１の工程では、搬送設備（例えば、クレーン５）は、放射性物質１または放射性物質を収納した容器１（例えば、保管容器２の最下部に位置すべき放射性物質１または放射性物質を収納した容器１）を保管容器２の筒状部２２に収納する。
【００３８】
第２の工程では、搬送設備は、緩衝部材９を保管容器２の筒状部２２に収納する。搬送設備は、緩衝部材９を吊り部１７で吊り下げて筒状部２２の内部に移動させ、保管容器２に収納した放射性物質１または放射性物質を収納した容器１の上部に載置する。このとき、緩衝部材９は、外側板バネ１５が保管容器２の内周面（筒状部２２の内周面）と接触する。緩衝部材９は、下部環状部材１４が放射性物質１または放射性物質を収納した容器１の上部の周囲を囲むように（放射性物質１または放射性物質を収納した容器１の上部が下部環状部材１４に嵌るように）、放射性物質１または放射性物質を収納した容器１に載置される。緩衝部材９は、内側板バネ１６が放射性物質１または放射性物質を収納した容器１の上部の周囲と接触する。
【００３９】
第３の工程では、搬送設備は、既に保管容器２に収納した放射性物質１または放射性物質を収納した容器１に積み重ねるべき放射性物質１または放射性物質を収納した容器１（例えば、保管容器２の下から２番目に位置すべき放射性物質１または放射性物質を収納した容器１）を、保管容器２の筒状部２２に収納する。このとき、放射性物質１または放射性物質を収納した容器１は、保管容器２内の緩衝部材９の平板部材１２の上に載置され、緩衝部材９の上部環状部材１３が放射性物質１または放射性物質を収納した容器１の下部の周囲を囲むように（放射性物質１または放射性物質を収納した容器１の下部が上部環状部材１３に嵌るように）、保管容器２に収納される。緩衝部材９は、内側板バネ１６が放射性物質１または放射性物質を収納した容器１の下部の周囲と接触する。
【００４０】
この一連の工程（放射性物質１または放射性物質を収納した容器１を保管容器２に収納する工程と、緩衝部材９を保管容器２に収納する工程）を、保管容器２の最上部に位置すべき放射性物質１または放射性物質を収納した容器１を保管容器２に収納するまで繰り返して行い、保管容器２の筒状部２２内で、放射性物質１または放射性物質を収納した容器１と緩衝部材９とを上下方向に交互に配置する。
【００４１】
第４の工程では、保管容器２の最上部に位置すべき放射性物質１または放射性物質を収納した容器１を保管容器２に収納した後、弾性部材１０を最上部に位置する放射性物質１または放射性物質を収納した容器１の上に載置する。弾性部材１０は、例えばクレーン５などの搬送設備を用いるなど、任意の方法で設置することができる。
【００４２】
第５の工程では、蓋１１を筒状部２２の開口部に取り付ける。蓋１１は、例えばクレーン５などの搬送設備を用いるなど、任意の方法で設置することができる。
【００４３】
なお、緩衝部材９は、上記の保管方法のように放射性物質１または放射性物質を収納した容器１と異なる工程にて保管容器２に収納してもよいが、放射性物質１または放射性物質を収納した容器１と同じ工程にて（放射性物質１または放射性物質を収納した容器１と同時に）保管容器２に収納することもできる。緩衝部材９を放射性物質１または放射性物質を収納した容器１と同じ工程にて保管容器２に収納する場合は、放射性物質１または放射性物質を収納した容器１を保管容器２に収納する前に、予め、仕立てエリア７で緩衝部材９を放射性物質１または放射性物質を収納した容器１の上部に載置する。放射性物質１または放射性物質を収納した容器１を保管容器２に収納する工程では、緩衝部材９が載置された放射性物質１または放射性物質を収納した容器１を保管容器２に収納する。
【実施例２】
【００４４】
本発明の実施例２による放射性物質または放射性物質を収納した容器の保管容器と保管方法を、図５〜図８を用いて説明する。図５〜図８において、図１〜図４と同一の符号は、実施例１による放射性物質または放射性物質を収納した容器の保管容器と同一のまたは対応する構成要素を示し、これらの構成要素については説明を省略する。
【００４５】
本実施例による放射性物質１または放射性物質を収納した容器１の保管容器２は、実施例１による放射性物質１または放射性物質を収納した容器１の保管容器２と、緩衝部材の構成が異なる。以下では、本実施例による放射性物質１または放射性物質を収納した容器１の保管容器２について、実施例１による放射性物質１または放射性物質を収納した容器１の保管容器２と異なる点を主に説明する。
【００４６】
図５は、本発明の実施例２による放射性物質１または放射性物質を収納した容器１の保管容器２の縦断面図である。保管容器２は、筒状部２２と、蓋１１と、緩衝部材１８と、弾性部材１０を備える。緩衝部材１８は、上下方向に積まれた放射性物質１または放射性物質を収納した容器１同士の間に位置するように、筒状部２２の内部に設置される。緩衝部材１８は、後述するように、平板部材１２、下部環状部材１４、及び可動板バネ１９を備える。
【００４７】
図６は、緩衝部材１８の縦断面図である。図８は、緩衝部材１８の上面図である。緩衝部材１８は、平板部材１２、下部環状部材１４、内側板バネ１６、可動板バネ１９、及び吊り部１７を備える。緩衝部材１８は、実施例１での緩衝部材９が備える上部環状部材１３と外側板バネ１５を備えず、可動板バネ１９を備える。
【００４８】
実施例１では、緩衝部材９の外側板バネ１５が保管容器２の内周面（筒状部２２の内周面）と接触するが、本実施例では、可動板バネ１９が保管容器２の内周面と接触する。また、実施例１では、吊り部１７が上部環状部材１３に設置されているが、本実施例では、吊り部１７は、平板部材１２の外周部に設置されている。さらに、本実施例では、平板部材１２は、上面の外周部に凹部１２ａを備える。
【００４９】
可動板バネ１９は、平板部材１２の上面に、周方向に９０°ごとに４個設置されている。可動板バネ１９は、固定部材２０により平板部材１２の凹部１２ａに固定されている。固定部材２０は、例えば、ピンで構成することができる。
【００５０】
可動板バネ１９は、平面部１９ａと、板バネ部１９ｂと、支点部１９ｃを備える緩衝部である。平面部１９ａは、剛性を有し、バネとして作用しない板状部分である。板バネ部１９ｂは、板バネで構成されている。支点部１９ｃは、平面部１９ａと板バネ部１９ｂを接続する部分であり、固定部材２０を介して可動板バネ１９を平板部材１２に固定している部分である。
【００５１】
可動板バネ１９は、支点部１９ｃで湾曲したような形状をしており、平面部１９ａが平板部材１２の上方に位置し、板バネ部１９ｂが平板部材１２から水平方向に突出して平板部材１２の側方に位置する。平面部１９ａは、緩衝部材１８の上面部であり、保管容器２に収納された放射性物質１または放射性物質を収納した容器１は、平面部１９ａに載置される。板バネ部１９ｂは、下部環状部材１４の側方まで延在するような長さを有してもよい。可動板バネ１９は、支点部１９ｃを支点（中心）として（すなわち、固定部材２０を回転軸として）、回動することができる。
【００５２】
可動板バネ１９は、放射性物質１または放射性物質を収納した容器１が平面部１９ａに載置されていないときは、上方からの荷重がかからないために板バネ部１９ｂが下方を向いており（下方に延在しており）、保管容器２の内周面（筒状部２２の内周面）と接触しない。
【００５３】
図７は、放射性物質１または放射性物質を収納した容器１が緩衝部材１８の上面部に載置された状態の緩衝部材１８の縦断面図である。可動板バネ１９は、放射性物質１または放射性物質を収納した容器１が平面部１９ａに載置されるときに、平面部１９ａが支点部１９ｃを支点として下方に回動し、板バネ部１９ｂが支点部１９ｃを支点として上方に回動する。板バネ部１９ｂは、上方に回動すると、平板部材１２から筒状部２２に向かって水平方向に延在して、筒状部２２の内周面（保管容器２の内周面）と接触する。このようにして、緩衝部材１８の可動板バネ１９は、放射性物質１または放射性物質を収納した容器１が保管容器２に収納されたときに保管容器２の内周面と接触し、保管容器２に衝撃が加わったときに、保管容器２の内部で放射性物質１または放射性物質を収納した容器１と保管容器２とが水平方向に衝突するのを抑制する。
【００５４】
可動板バネ１９は、放射性物質１または放射性物質を収納した容器１が平面部１９ａから取り除かれ、上方からの荷重がかからなくなると、平面部１９ａが支点部１９ｃを支点として上方に回動し、板バネ部１９ｂが支点部１９ｃを支点として下方に回動して下方を向くので、保管容器２の内周面と接触しない。
【００５５】
平板部材１２の凹部１２ａは、可動板バネ１９を固定部材２０で平板部材１２に固定できるような大きさとする。凹部１２ａは、平板部材１２の周方向の全体に設けてもよく、周方向の一部に設けてもよい。凹部１２ａは、放射性物質１または放射性物質を収納した容器１が緩衝部材１８の上面部（可動板バネ１９の平面部１９ａ）に載置されたときに、放射性物質１または放射性物質を収納した容器１から受ける荷重により可動板バネ１９と固定部材２０が破損するのを防ぐ。
【００５６】
実施例１による放射性物質１または放射性物質を収納した容器１の保管容器２では、保管容器２に収納した放射性物質１または放射性物質を収納した容器１に緩衝部材９を載置するときには、緩衝部材９の外側板バネ１５と保管容器２の内周面との接触により、これらの間に摩擦力が生じる。このため、放射性物質１または放射性物質を収納した容器１に緩衝部材９をクレーン５などの搬送設備で載置するときには、この搬送設備で緩衝部材９を保管容器２（筒状部２２）の内部に押し込む必要があるとともに、外側板バネ１５と保管容器２には、この摩擦力を考慮した構造強度が必要である。
【００５７】
本実施例による放射性物質１または放射性物質を収納した容器１の保管容器２では、保管容器２に収納した放射性物質１または放射性物質を収納した容器１に緩衝部材１８を載置するときには、可動板バネ１９に上方からの荷重がかかっていないので、緩衝部材１８は、保管容器２の内周面と接触しない。このため、放射性物質１または放射性物質を収納した容器１に緩衝部材１８を搬送設備で載置するときには、搬送設備で緩衝部材１８を保管容器２（筒状部２２）の内部に押し込む必要がなく、緩衝部材１８の載置における作業性の向上や搬送設備の簡略化が可能である。さらに、緩衝部材１８と保管容器２との間に摩擦力が生じないため、これらの構造強度には、この摩擦力を考慮する必要がないという利点もある。
【００５８】
以下では、本実施例による保管容器２に放射性物質１または放射性物質を収納した容器１を保管する方法の例を説明する。本実施例による放射性物質１または放射性物質を収納した容器１の保管方法は、実施例１による放射性物質１または放射性物質を収納した容器１の保管方法と、第１、第４、及び第５の工程が同じであるが、第２、及び第３の工程が異なる。以下では、第２、及び第３の工程のみを説明する。
【００５９】
第２の工程では、搬送設備は、緩衝部材１８を保管容器２の筒状部２２に収納する。搬送設備は、緩衝部材１８を吊り部１７で吊り下げて筒状部２２の内部に移動させ、保管容器２に収納した放射性物質１または放射性物質を収納した容器１の上部に載置する。このとき、緩衝部材１８は、下部環状部材１４が放射性物質１または放射性物質を収納した容器１の上部の周囲を囲むように（放射性物質１または放射性物質を収納した容器１の上部が下部環状部材１４に嵌るように）、放射性物質１または放射性物質を収納した容器１に載置される。緩衝部材１８は、内側板バネ１６が放射性物質１または放射性物質を収納した容器１の上部の周囲と接触する。この工程では、可動板バネ１９の板バネ部１９ｂは、下方を向いており、保管容器２の内周面（筒状部２２の内周面）と接触しない。すなわち、緩衝部材１８は、保管容器２の内周面と接触していない。
【００６０】
第３の工程では、搬送設備は、既に保管容器２に収納した放射性物質１または放射性物質を収納した容器１に積み重ねるべき放射性物質１または放射性物質を収納した容器１を、保管容器２の筒状部２２に収納する。このとき、放射性物質１または放射性物質を収納した容器１は、保管容器２内の緩衝部材１８の可動板バネ１９の平面部１９ａに載置される。放射性物質１または放射性物質を収納した容器１が平面部１９ａに載置されるとき、可動板バネ１９は、平面部１９ａが下方に回動し、板バネ部１９ｂが上方に回動する。板バネ部１９ｂは、上方に回動すると、保管容器２の内周面（筒状部２２の内周面）と接触する。このようにして、緩衝部材１８は、保管容器２の筒状部２２の内周面と接触可能である。
【００６１】
実施例１と同様に、放射性物質１または放射性物質を収納した容器１を保管容器２に収納する工程と、緩衝部材１８を保管容器２に収納する工程を、保管容器２の最上部に位置すべき放射性物質１または放射性物質を収納した容器１を保管容器２に収納するまで繰り返して行い、保管容器２の筒状部２２内で、放射性物質１または放射性物質を収納した容器１と緩衝部材１８とを上下方向に交互に配置する。
【００６２】
本実施例でも、実施例１と同様に、緩衝部材１８は、放射性物質１または放射性物質を収納した容器１と同じ工程にて（放射性物質１または放射性物質を収納した容器１と同時に）保管容器２に収納することもできる。緩衝部材１８を放射性物質１または放射性物質を収納した容器１と同じ工程にて保管容器２に収納する場合は、放射性物質１または放射性物質を収納した容器１を保管容器２に収納する前に、予め、仕立てエリア７で緩衝部材１８を放射性物質１または放射性物質を収納した容器１の上部に載置する。放射性物質１または放射性物質を収納した容器１を保管容器２に収納する工程では、緩衝部材１８が載置された放射性物質１または放射性物質を収納した容器１を保管容器２に収納する。
【００６３】
なお、本発明は、上記の実施例に限定されるものではなく、様々な変形が可能である。例えば、上記の実施例は、本発明を分かりやすく説明するために詳細に説明したものであり、本発明は、必ずしも説明した全ての構成を備える態様に限定されるものではない。また、ある実施例の構成の一部を他の実施例の構成に置き換えることが可能である。また、ある実施例の構成に他の実施例の構成を加えることも可能である。また、各実施例の構成の一部について、削除したり、他の構成を追加・置換したりすることが可能である。
【符号の説明】
【００６４】
１…放射性物質または放射性物質を収納した容器、２…保管容器、３…保管施設、４…保管エリア、５…クレーン、６…移送容器、７…仕立てエリア、８…架台、９…緩衝部材、１０…弾性部材、１１…蓋、１２…平板部材、１２ａ…凹部、１３…上部環状部材、１４…下部環状部材、１５…外側板バネ、１６…内側板バネ、１７…吊り部、１８…緩衝部材、１９…可動板バネ、１９ａ…平面部、１９ｂ…板バネ部、１９ｃ…支点部、２０…固定部材、２２…筒状部。
【図１】
2020016561.tif 000003
【図２】
2020016561.tif 000004
【図３】
2020016561.tif 000005
【図４】
2020016561.tif 000006
【図５】
2020016561.tif 000007
【図６】
2020016561.tif 000008
【図７】
2020016561.tif 000009
【図８】
2020016561.tif 000010